(57)【要約】      （修正有）【課題】着座した状態では移動することなく、運搬時には、軽い力で容易に移動させることができる椅子を提供する。【解決手段】移動が容易な椅子は、脚部４、５が椅子本体１の前後に各々２本が設けられ、キャスター６が２本の後脚部５のみの下端部に取り付けられ、無荷重状態においては車輪が回転可能であり、下向きの荷重が加わった際にはキャスター本体が床面８と接触するように構成されている。無荷重状態において椅子本体の背もたれ部３を後側に傾斜したとき、２本の前脚部４が浮上し、２本の後脚部５のキャスターの車輪により椅子本体が移動可能となる。【選択図】図１
0003202207.tif 000002
【実用新案登録請求の範囲】
【請求項１】
椅子本体の脚部の下端部にキャスターが取り付けられたキャスター付の椅子であって、
前記脚部は前記椅子本体の前後に各々２本が設けられ、
前記キャスターは、キャスター本体に車輪が回転可能に設けられ、無荷重状態においては前記車輪が回転可能であり、下向きの荷重が加わった際に前記キャスター本体が床面と接触するように構成されて、２本の後脚部のみの下端部に取り付けられ、
無荷重状態において前記椅子本体の背もたれを後側に傾斜したとき、２本の前脚部が浮上し、２本の後脚部の前記キャスターの車輪により前記椅子本体を移動可能に構成した移動が容易な椅子。
【請求項２】
下向きの荷重を加えてキャスター本体を床面に接触させた際に、椅子本体の座面の後側が下降して傾斜させる請求項１に記載の移動が容易な椅子。
【考案の詳細な説明】
【技術分野】
【０００１】  本考案は、脚部にキャスターが取り付けられたキャスター付椅子の関し、詳しくは、椅子を容易に移動させることができる椅子に関する。
【背景技術】
【０００２】  椅子本体の脚部の下端部にキャスターが取り付けられたキャスター付の椅子は、移動時の力を軽減できるようにしたものであり、例えば、特開平７−１０８０１４号公報（特許文献１）、特開２００４−２６１５５９号公報（特許文献２）に開示されている。
【先行技術文献】
【特許文献】
【０００３】
【特許文献１】特開平７−１０８０１４号公報
【特許文献２】特開２００４−２６１５５９号公報
【考案の概要】
【考案が解決しようとする課題】
【０００４】  一般に使用されているキャスター付の椅子は、椅子本体に設けた４本の脚部に各々キャスターが取り付けられていて、使用者が着座した状態でも床面を容易に移動できるようにしているので、便利に使用されている。ところが、不意に外圧が加えられた場合であっても容易に移動することから、事故を招く恐れがある。このような問題を解消するために、特許文献１及び２に示された椅子は、脚部のキャスターに下向きの荷重を加えた場合に、例えばキャスターの本体の一部を床面と接触させて、着座した状態では椅子が移動しないように構成している。【０００５】  このように、一般に使用されている椅子は、使用者が着座した場合の利便性を追求している。しかしながら、会議室、結婚披露宴会場等の会場を設営する場合には、多くの来場者のために、数多くの椅子を搬送する必要がある。このとき、通常の場合は、収納庫から作業員または従業員が個々に椅子を持ちながら搬送している。このため、作業員等に重労働を課してしまう問題がある。【０００６】  本考案が解決しようとする課題は、着座した状態では移動することなく、作業員等が移動する場合に、軽い力で容易に移動させることができる椅子を提供することにある。
【課題を解決するための手段】
【０００７】  そこで、本考案による移動が容易な椅子は、椅子本体の脚部の下端部にキャスターが取り付けられたキャスター付の椅子であって、前記脚部は前記椅子本体の前後に各々２本が設けられ、前記キャスターは、キャスター本体に車輪が回転可能に設けられ、無荷重状態においては前記車輪が回転可能であり、下向きの荷重が加わった際に前記キャスター本体が床面と接触するように構成されて、２本の後脚部のみの下端部に取り付けられ、無荷重状態において前記椅子本体の背もたれを後側に傾斜したとき、２本の前脚部が浮上し、２本の後脚部の前記キャスターの車輪により前記椅子本体を移動可能に構成したことを要旨としている。【０００８】  また、下向きの荷重を加えてキャスター本体を床面に接触させた際に、椅子本体の座面の後側が下降して傾斜させることが好ましい。
【考案の効果】
【０００９】  本考案による移動が容易な椅子によれば、４本の脚部のうち、後側２本の脚部のみにキャスターを取り付け、このキャスターに下向きの荷重が加わった際にキャスター本体が床面と接触するように構成されているので、使用者が着座した状態では、前側２本の脚部と後側２本のキャスターによって椅子が床面に固定され、椅子の移動を阻止し安全に着座することができる。一方、会議室、結婚披露宴会場等の会場を設営する場合には、無荷重状態においては、椅子本体の背もたれを後側に傾斜することにより、後側２本の脚部が浮上し、後側２本の脚部のキャスターの車輪が回転可能になるので、椅子本体を傾斜した状態で椅子本体を軽い力で容易に移動することができる。このため、作業員や従業員の移動による疲労を大幅に軽減することが可能となる。【００１０】  また、使用者が着座した際に、下向きの荷重を加えることによりキャスター本体が床面に接触させることにより下降すると、椅子本体の座席部の後側が若干下降するので、座席部の後側が下がることによって傾斜するので、使用者が前方に倒れそうに傾くことなく、安定した状態で着座することが可能となる。
【図面の簡単な説明】
【００１１】
【図１】  本発明に関わる移動が容易な椅子の実施例を示す側面図である。
【図２】  キャスター本体を示す側面図である。
【図３】  キャスター本体を示す正面図である。
【図４】  キャスター本体が荷重により床面に接触した状態を示す正面図である。
【図５】  キャスター本体が傾斜した状態を示す側面図である。
【図６】  （Ａ）（Ｂ）は、椅子本体に形成した取っ手部を示す説明図である。
【図７】  椅子を移動する状態を示す説明図である。
【考案を実施するための形態】
【００１２】  本考案による移動が容易な椅子は、椅子本体の脚部の下端部にキャスターが取り付けられたキャスター付の椅子であって、前記脚部は前記椅子本体の前後に各々２本が設けられ、前記キャスターは、キャスター本体に車輪が回転可能に設けられ、無荷重状態においては前記車輪が回転可能であり、下向きの荷重が加わった際に前記キャスター本体が床面と接触するように構成されて、２本の後脚部のみの下端部に取り付けられ、無荷重状態において前記椅子本体の背もたれを後側に傾斜したとき、２本の前脚部が浮上し、２本の後脚部の前記キャスターの車輪により前記椅子本体を移動可能に構成している。
【００１３】  以下、図面に基づいて本考案の実施例を詳細に説明する。図１に示す椅子本体１は、座席部２及び背もたれ部３と、２本の前脚部４及び２本の後脚部５とを有している。そして、２本の後脚部５の下端部にキャスター６が取り付けられている。
【００１４】  キャスター６は、図２及び図３に示すような自在キャスターを用いることが好ましい。本考案においては、自在キャスターの構成を備えるとともに、荷重を加えた際に床面に止めることができる構成のキャスターを用いている。
【００１５】  キャスター６は、図２、図３に示すように、キャスター本体６ａと一対の車輪６ｂからなり、両側の車輪６ｂは、キャスター本体６ａに支持された軸６ｃによって自在に回転する。軸６ｃは、キャスター本体６ａの上下方向に移動することができ、座席部２に着座していない状態、すなわち、無荷重状態では、キャスター本体６ａ内に配設されたコイルスプリング７によって一対の車輪６ｂを下方に付勢しており、この状態では図２、図３に示すようにキャスター本体６ａの下端は床面８から離間されていて、車輪６ｂを容易に回動することができる。また、キャスター本体６ａの上端側には、回転軸９が回転自在に支持され、回転軸９の上端は取付板１０に固着されている。そして、取付板１０は、２本の後脚部５の下端部に例えば木ねじ１１によって取り付けられている。なお、キャスター６は、必ずしも自在キャスターでなくても良く、また、上述した構成のキャスター以外に市販のキャスターを使用しても良い。
【００１６】  図４は、座席部２に着座している際のキャスター６を示し、２本の後脚部５を介してキャスター６に矢示で示す下向きの荷重が加わっている。この際には、キャスター本体６ａ内に配設されたコイルスプリング７が圧縮されることによって、キャスター本体６ａが下降して下端が床面８に押圧状態で接触する。この状態では、２本の前脚部４と同様に、椅子本体１が定位置に固定される。なお、無荷重状態と荷重状態における寸法は、概ね５ｍｍ〜１０ｍｍとすることが望ましい。また、キャスター本体６ａの下端が床面８に接触させるための圧力は、概ね５ｋｇ〜１０ｋｇに設定することが望ましい。
【００１７】  座席部２に着座することによって、キャスター６に下向きの荷重Ｗを加えられ、２本の後脚部５が下降することにより、椅子本体１の座席部２の後側が下降し、僅かな角度θ１だけ傾斜する。このように座席部２の後側が傾斜することにより、使用者が前方に倒れそうに傾くことなく、安定した状態で着座することが可能となる。
【００１８】  図５は、無荷重状態において、椅子本体１の背もたれ部３を後側に傾斜したとき、キャスター本体６ａが床面８に接触するまでの角度θ２を示している。この角度θ２は、後述する椅子本体１を傾斜して移動するとき、楽に移動作業ができる角度以上に設定することが望ましい。
【００１９】  図６（Ａ）、（Ｂ）は、椅子本体１を移動する際、および、椅子本体１を後側に傾斜させる際の作業を容易にするために、背もたれ部３に取っ手部１２を形成した例を示している。図６（Ａ）は、背もたれ部３の上部の枠体３ａとクッション部３ｂとの間に透孔３ｃを形成し、この透孔３Ｃを取っ手部１２としている。そして、椅子本体１の移動作業等を行う際には、透孔３Ｃ内に手を挿入し、枠体３ａを握ることによって作業を行うようにしている。また、図６（Ｂ）は、背もたれ部３の背面に取っ手部１２を取り付けた例を示している。この取っ手部１２は、平面形状が略コ字状に形成し、開口端を背もたれ部３の上部の枠体３ａに取り付けている。そして、取っ手部１２に手を挿入して握ることにより作業を行うようにしている。
【００２０】  次に、上述した本考案による移動が容易な椅子の移動作業について、図７により説明する。常時は図１に示すように、椅子本体１は２本の前脚部４と、２本の後脚部５の下端部に取り付けたキャスター６によって床面８に置かれている。使用者が着座していないときは、キャスター６の車輪６ｂは無荷重状態であり回動することができる。この状態から、会議室や結婚披露宴会場等の会場の設営、或いは片付けを行うために椅子本体１を移動する際には、図７に示すように、作業者１３が取っ手部１２を握り、椅子本体１の背もたれ部３を後側に傾斜する。これにより、２本の前脚部４が浮上し、２本の後脚部のキャスター６の車輪６ｂに椅子本体１が載置される。この状態から、取っ手部１２を握りながら図示右方の矢示の方向に移動する。このように、椅子本体１を移動するときの角度を前述した図５に示す角度θ２とすることにより、軽い力で移動することができる。
【００２１】  以上、本発明を実施例に基づき具体的に説明したが、本発明は上記実施例に限定されるものではなく、その要旨を逸脱しない範囲で種々変形可能であることは言うまでもない。前述した実施例において、キャスターに下向きの荷重を加えたとき、車輪が上昇する形式としたが、車輪の軸を支点として回転することにより車輪が上昇する形式のキャスターであっても良い。また、椅子本体の２本の後脚部に対してキャスターの取付板を取り付けるようにしたが、キャスターに円柱を突設して後脚部の下端面に形成した孔に挿入することにより取り付けても良い。
【符号の説明】
【００２２】１    椅子本体
３    背もたれ部
４    前脚部
５    後脚部
６    キャスター
６ａ  キャスター本体
６ｂ  車輪
【図１】
0003202207.tif 000003
【図２】
0003202207.tif 000004
【図３】
0003202207.tif 000005
【図４】
0003202207.tif 000006
【図５】
0003202207.tif 000007
【図６】
0003202207.tif 000008
【図７】
0003202207.tif 000009